(57)【要約】【課題】  極めて簡単な工事で既存のシャッターに対して表示性に優れた各種宣伝広告や装飾効果を付加することができ、かつその交換も容易なシャッター用ディスプレイ装置を提供する。【解決手段】シャッター６の下部６ａに、回転自在に支承されたシート巻き取り軸１１を含むシート巻き取り部を取り付ける。ディスプレイシート２の表面の側部に磁性領域を形成し、その下端部をシート巻き取り軸１１に固定し、かつ上端部を固定部材１２に固定する。シャッターガイド８，９側に回動自在に開閉固定板１３，１４を連結し、開閉固定板に磁性領域を形成する。シャッターを下げた状態で繰り出されたディスプレイシートがシャッター表面に並設され、シャッターを上げた際にはディスプレイシートが下端部から巻き取られる。シャッターを下げた状態で開閉固定板を回動し、これを磁気力によってディスプレイシートの側部に脱着自在に固着する。【選択図】図１
2006063603.tif 000002
【特許請求の範囲】
【請求項１】
建物側に設置したシャッター巻き取りロールの回転により、シャッターガイドに沿って上下動自在な巻き上げ式シャッターと、前記シャッターの下部に一方向に回転付勢されて回転自在に支承されたシート巻き取り軸と、該シート巻き取り軸に下端部が固定され上端部が建物側に設置された前記シャッターの上方に位置する固定部材に固定されたディスプレイシートと、該ディスプレイシートの表面の側部に形成された第１の磁性領域と、前記ディスプレイシートの表面の側部に対して対面する位置とこれに対して離反する位置との間で回動自在に前記シャッターガイド側に連結された開閉固定板と、該開閉固定板の一方の面に前記第１の磁性領域との間に磁気吸着力が作用するように形成された第２の磁性領域とを備え、前記シャッターを下げた状態においては前記シート巻き取り軸から繰り出されたディスプレイシートがシャッター表面に並設され、シャッターを上げた際には前記ディスプレイシートがシート巻き取り軸に下端部から巻き取られるとともに、シャッターを下げた状態において、前記開閉固定板を前記磁性領域間の磁気力によって前記ディスプレイシートの側部に脱着自在に固着可能としたことを特徴とするシャッター用ディスプレイ装置。
【請求項２】
第１の磁性領域がディスプレイシートの表面の両側に設けられ、該両側のそれぞれに対して開閉固定板が設けられていることを特徴とする請求項１記載のシャッター用ディスプレイ装置。
【請求項３】
第１と第２の磁性領域を、マグネットシートにより構成したことを特徴とする請求項１記載のシャッター用ディスプレイ装置。
【請求項４】
シート巻き取り軸とディスプレイシートの下端とを接着用テープによって脱着自在に固定したことを特徴とする請求項１記載のシャッター用ディスプレイ装置。
【発明の詳細な説明】
【技術分野】
【０００１】
本発明は、店舗等における建物に開閉自在に設置され、シャッター下降時に人の目にとまりやすいシャッター前面部分が広告宣伝に利用できることに着目して案出されたものであり、シャッター本来の機能に各種広告宣伝や装飾に供することを可能とする取り付け容易なシャッター用ディスプレイ装置に関する。
【背景技術】
【０００２】
従来、建物のシャッターに装飾を施すためには、シャッター表面にペンキ等で装飾の表示体を描くことが行われていたが、複数枚の細長いスラットを組み合わせて構成されるシャッターにペンキで表示体を描いても、スラット間の接合部分で表示体が分断されてしまい、装飾としての美観は損なわれていた。また、シャッター表面に表示体をペンキで描くことは、手間と費用が掛かるだけでなく、表示体を変更する場合にもその上からペンキで上書きせざるを得ず、さらに多大な時間と費用を要することとなっていた。そこで、新たなディスプレイ装置として、従来のシャッター表面にディスプレイシートを位置させ、このディスプレイシートに装飾を施すシャッター用ディスプレイ装置が案出された。このシャッター用ディスプレイ装置としては、シャッターの巻取装置の前面上部にディスプレイシートの巻取装置を配設するとともに、シャッターの下端に、表示体を形成してなる磁石シートからなるディスプレイシートの下端を固定し、シャッターの下降に対応させてディスプレイシートをシャッターに磁着させつつ繰り出す構造のものが存在する。この従来のシャッター用ディスプレイ装置は、既存のシャッターに設置することができ、シャッター表面に各種広告宣伝や装飾を描くことができるものである。
【特許文献１】特開平１−１７８６９４号公報
【発明の開示】
【発明が解決しようとする課題】
【０００３】
しかしながら、前述した従来のシャッター用ディスプレイ装置にあっては、シャッターの巻取装置の近傍にディスプレイシート専用の巻取装置を設置する必要がある等、大がかりな装置となることから、これを設置するためには多大の労苦と複雑な設置工事と多額の工事費用を余儀なくされていた。また、ディスプレイシートに描かれた広告宣伝等の内容を変更するに際しても、ディスプレイシートの交換は同様に容易ではなく、作業には手間と時間を要するものであった。
【０００４】
そこで本発明は、大がかりな設備工事を要することなく極めて簡単な工事で既存のシャッターに対して表示性に優れた各種宣伝広告や装飾効果を付加することができ、かつその交換も容易なシャッター用ディスプレイ装置を提供することを目的とする。
また本発明の他の目的は、屋外に面するディスプレイシートが風の影響でばたつくのを防止し、ディスプレイシートの表面の平滑性を維持することである。
【課題を解決するための手段】
【０００５】
前述の目的を達成するため、本発明のシャッター用ディスプレイ装置は、建物側に設置したシャッター巻き取りロールの回転により、シャッターガイドに沿って上下動自在な巻き上げ式シャッターと、前記シャッターの下部に一方向に回転付勢されて回転自在に支承されたシート巻き取り軸と、該シート巻き取り軸に下端部が固定され上端部が建物側に設置された前記シャッターの上方に位置する固定部材に固定されたディスプレイシートと、該ディスプレイシートの表面の側部に形成された第１の磁性領域と、前記ディスプレイシートの表面の側部に対して対面する位置とこれに対して離反する位置との間で回動自在に前記シャッターガイド側に連結された開閉固定板と、該開閉固定板の一方の面に前記第１の磁性領域との間に磁気吸着力が作用するように形成された第２の磁性領域とを備え、前記シャッターを下げた状態においては前記シート巻き取り軸から繰り出されたディスプレイシートがシャッター表面に並設され、シャッターを上げた際には前記ディスプレイシートがシート巻き取り軸に下端部から巻き取られるとともに、シャッターを下げた状態において、前記開閉固定板を前記磁性領域間の磁気力によって前記ディスプレイシートの側部に脱着自在に固着可能としたものである。
【０００６】
また本発明は、第１の磁性領域がディスプレイシートの表面の両側に設けられ、該両側のそれぞれに対して開閉固定板が設けられているものである。
また本発明は、第１と第２の磁性領域を、マグネットシートにより構成したことを特徴とするものである。
また本発明は、シート巻き取り軸とディスプレイシートの下端とを接着用テープによって脱着自在に固定したことを特徴とするものである。
【発明の効果】
【０００７】
本発明のシャッター用ディスプレイ装置によれば、巻き取り軸にディスプレイシートを巻き取る際には、巻き取り軸側から相対的に見ると、ディスプレイシートは下方に下がってくるため、巻き取り軸の回転付勢力としてはディスプレイシートの自重分の牽引付勢力は必要なく、本来のシートの巻き取りに必要な力だけで済み、したがって巻き取り部材を簡単な構造にすることができ、またディスプレイシートに多大な牽引付勢力もかからないことから、ディスプレイシートを薄くすることもできる。これにより、従来のごとく大がかりな設備工事を要することなく極めて簡単な工事で既存のシャッターに対して表示性に優れた各種宣伝広告や装飾効果を付加することができ、またその交換も容易に行えるものである。更に、ディスプレイシートは開閉固定板側に磁気力によって固定できるので、風の影響によるディスプレイシートのばたつきを防止でき、その表面の平滑性を維持できる。
【発明を実施するための最良の形態】
【０００８】
図１〜図５において、符号１は本発明のシャッター用ディスプレイ装置を示し、建物の開口部に装置される金属製のシャッター機構に組み込まれている。
シャッター用ディスプレイ装置１を構成するディスプレイシート２は、ターポリンシートやＰＶＣ（ポリ塩化ビニル）シート等の可撓性を有する合成樹脂シートからなり、その表面に文字・絵柄等の宣伝広告用若しくは装飾用の表示体３を形成したものである。また、必要に応じてその表面に透明なポリエステルフィルムやＰＶＣフィルムをラミネートしたりフッ素樹脂等のコーティングをしたりする防汚加工を施してもよい。
前記ディスプレイシート２の両側には、帯状のマグネットシート４，５が接着され、該マグネットシート４，５によって、ディスプレイシート２の表面の両側に磁性領域を構成している。前記マグネットシート４，５は、図１に示すように、ディスプレイシート２の最大展開表面の両側の全長に亘って接着配置されているが、ディスプレイシート２の両側に部分的に接着配置するようにしても良い。マグネットシート４，５の着磁は、ディスプレイシート２の左右の横ずれ防止のために用いられるので、図６に示すように左右方向にＮ極とＳ極が交互に現れる構成となっている。
【０００９】
ディスプレイシート２が敷設されるシャッター６は、建物側のシャッター枠構造の上部に設置されているシャッターボックス（図示省略）内の巻取ロール７に上端が固定され、巻取ロール７の回転により、両側のシャッターガイド８，９に案内されて上下動すべく巻き取り・繰り出し自在な構造となっている。
このシャッター６の表面側における水切りと称される下端部分６ａには、逆回転も可能な状態でバネ等により一方向に回転付勢されているシート巻き取り軸１１を備えたカバー１０がネジ等の適宜な固定部材により着脱可能に固定されている。前記シート巻き取り軸１１は、シャッター６と同幅又は若干幅狭に形成され、このシート巻き取り軸１１を構成要素とするシート巻き取り部は、シャッター６を上昇・下降させると一体的に上昇・下降する構造となっている。
【００１０】
そしてディスプレイシート２は、シャッター６表面の上方部に位置する建物側の固定部材、例えばまぐさと称される水平材１２（若しくは天井でもよい）に、その上端がネジ等の適宜な固定部材により着脱可能に固定されるとともに、その下端が前記巻き取り部のシート巻き取り軸１１にマジックテープ（登録商標）からなる接着テープを介して脱着可能に固定されている。そして、シャッター６を下げた状態では、ディスプレイシート２はシート巻き取り軸１１から繰り出されてシャッター６の表面を全面的に覆って並設される。また、シャッター巻取ロール７がシャッター６を巻きとって上昇させていくと、ディスプレイシート２の下部は、シート巻き取り軸１１に自動的に巻き取られてゆく。
【００１１】
１３，１４は、前記マグネットシート４，５とほぼ同長の開閉固定板であり、シャッター６に対して水平な状態と、シャッター６に対して直角な状態との間で、地面に対して垂直な軸を中心として回動可能に、蝶番１５などの連結具を介して、左右のシャッターガイド８，９にそれぞれ連結している。前記開閉固定板１３，１４の、前記マグネットシート４，５と対向する面には、該マグネットシート４，５とほぼ同一幅、同一長のマグネットシート１６が接着され、開閉固定板１３，１４のそれぞれの内面に磁性領域を形成している。開閉固定板１３，１４側のマグネットシート１６は、対応するマグネットシート４，５の磁極と互いに異極が対向し、両者の間に磁気吸引力が作用するように、左右方向にＮ極とＳ極が交互に着磁された構成となっている。これにより、開閉固定板１３，１４の、マグネットシート１６に対して、ディスプレイシート２のマグネットシート４，５が左右方向に移動させられようとしても、僅かにずれるだけで隣接する極からの反発力が全体に発生して元の位置に戻るように規制されることとなる。さらに、前記ディスプレイシート２側のマグネットシート４，５と開閉固定板１３，１４側のマグネットシート１６の表面には、互いに吸着したときの横ずれ抵抗を増すための、滑り止めコーティング層１７が形成されている。
【００１２】
上記シート巻き取り軸１１に巻き取られ、カバー１０に内置されたディスプレイシート２を、既存のシャッター４に取り付ける方法について説明する。まず、すでに設置してあるシャッターガイド８，９側の開閉固定板１３，１４をシャッター６に対して直角方向に回動離反させた状態でシャッター６を下げ、その表面側の下端部分６ａに、ディスプレイシート２を巻き取ったシート巻き取り軸１１を内蔵するカバー１０をねじ止めにより固定する。つぎに、シャッター６の下端部分６ａを上限近傍まで上昇させ、この状態でディスプレイシート２の上端をシート巻き取り軸１１から繰り出し、これをシャッター枠の上部の水平材１２に固定する。このように、シート巻き取り軸１１を上限近傍まで上昇させてからディスプレイシート２を繰り出す方が、ディスプレイシート２の繰り出す量が少なくて済み、したがってディスプレイシート２を巻き取ろうとする回転付勢力が小さいので容易に作業が行えるものである。設置工事としては、これで完了である。
【００１３】
本発明のシャッター用ディスプレイ装置１の動作について、以下に説明する。
シャッター６を駆動するときは、開閉固定板１３，１４をディスプレイシート２に対して直角方向に離反させておく。シャッター６が下がっている状態から、手動若しくは電動にてシャッター巻取ロール７を巻き取り方向に回転させると、巻取ロール７にはシャッター６が徐々に巻き取られていき、シャッター６が上昇していく。これと同時に、シャッター６の下端部分６ａに配設されたシート巻き取り軸１１も上昇し、これによりディスプレイシート２には上昇した分だけ弛みが生じるところ、シート巻き取り軸１１が常に巻き取り方向に回転付勢されていることから、ディスプレイシート２は弛むことなくシート巻き取り軸１１に下方から徐々に巻き取られていく。そして、シート巻き取り軸１１が配設されたシャッター６の下端部分６ａが天井に近接する位置でシャッター巻取ロール７を停止させる。
【００１４】
同様に、シャッター６を下げる際には、手動若しくは電動にてシャッター巻き取りロール７を繰り出し方向に回転させると、シャッター６が下降するとともに、シート巻き取り軸１１も下降しつつ巻き取り軸１１に巻き込まれたディスプレイシート２を回転付勢に抗して徐々に繰り出して行くものである。シャッター６を閉じた後は、左右の開閉固定板１３，１４を直角状態から、シャッター６表面方向に９０度回動してシャッター６に対して水平とし、開閉固定板１３，１４のマグネットシート１６を、対応する、ディスプレイシート２側のマグネットシート４，５に吸着させる。これにより、ディスプレイシート２は、マグネットシート４，５，１６を介して、開閉固定板１３，１４に磁気力により固定され、風の影響でばたつくことがなく、シャッター６に対して左右にずれることがない。開閉固定板１３，１４によるディスプレイシート２の固定を解除するには、開閉固定板１３，１４をマグネットシート４，５とマグネットシート１６との間の磁気吸着力に抗して、蝶番１５の枢軸を中心として、直角方向に回動する。
【００１５】
また、上述した実施形態とは逆に、シャッター用ディスプレイ装置１の取付けを上下反転させ、シート巻き取り部を水平材１２に取り付け、またディスプレイシート２の先端をシャッターの水切り部に固定するという構造も検討されるのであるが、この場合にはシャッター６を上昇させる際に、巻き取り部のシート巻き取り軸１１はディスプレイシート２を、その自重を含めて巻き取らなければならないことから、大径なディスプレイシートの場合にはこれをスムーズに巻き取ることは、巻き取り軸の回転付勢力を強力にし、かつ巻き取り部材を高剛性にし、さらにディスプレイシートをその引っ張り力に耐える剛性を備える必要が生じる等、各部材の関連性を厳密に設定しなければならない。これに対し本実施形態にあっては、巻き取り軸１１がディスプレイシート２を巻き取る際には、巻き取り軸１１側から相対的に見ると、ディスプレイシート２は下方に下がってくるため、巻き取り軸１１の回転付勢力としてはディスプレイシート２の自重分の牽引付勢力は必要なく、本来のシートの巻き取りに必要な力だけで済み、したがって巻き取り部を簡単な構造にすることができ、またディスプレイシート２に多大な牽引付勢力もかからないことから、ディスプレイシート２を薄くすることもできるものである。
【００１６】
尚、上述した実施形態のシャッター用ディスプレイ装置にあっては、ディスプレイシート側のマグネットシート４，５と、開閉固定板１３，１４側のマグネットシート１６とで磁気吸着させる構成として説明したが、これ以外にも一方をマグネットシートとし他方を該マグネットシートが磁着する非着磁の軟磁性体シートとしても略同等の作用を発揮させることができるものである。但しこの場合には、前述した開閉固定板１３，１４側のマグネットシート１６に対するディスプレイシート側のマグネットシート４，５の左右方向の位置ズレを規制する反発力は生じないこととなる。
【００１７】
また、上述した開閉固定板１３，１４にあっては、それぞれ１個の上下方向に長径な構成としたが、これに限定されることなく、上下方向に複数に分割してそれぞれ別個に回動する構成としてもよいものである。
【図面の簡単な説明】
【００１８】
【図１】本発明のシャッター用ディスプレイ装置を示す正面説明図である。
【図２】本発明のシャッター用ディスプレイ装置を示す側断面説明図である。
【図３】本発明のシャッター用ディスプレイ装置を示す側断面説明図である。
【図４】本発明のシャッター用ディスプレイ装置を示す平断面説明図である。
【図５】本発明のシャッター用ディスプレイ装置を示す平断面説明図である。
【図６】本発明の要部の説明的外観図である。
【符号の説明】
【００１９】
１  シャッター用ディスプレイ装置
２  ディスプレイシート
３  表示体
４  マグネットシート
５  マグネットシート
６  シャッター
７  シャッター巻き取りロール
８  シャッターガイド
９  シャッターガイド
１０  カバー
１１  シート巻き取り軸
１２  水平材
１３  開閉固定板
１４  開閉固定板
１５  蝶番
１６  マグネットシート
１７  コーティング層
【図１】
2006063603.tif 000003
【図２】
2006063603.tif 000004
【図３】
2006063603.tif 000005
【図４】
2006063603.tif 000006
【図５】
2006063603.tif 000007
【図６】
2006063603.tif 000008